【手続補正書】
【提出日】平成17年4月19日(2005.4.19)
【手続補正１】
【補正対象書類名】明細書
【補正対象項目名】特許請求の範囲
【補正方法】変更
【補正の内容】
【特許請求の範囲】
【請求項１】
圧縮機、前記圧縮機からの冷媒が流れる水熱交換器のパイプ、減圧装置及び蒸発器を冷媒配管で接続して構成するヒートポンプ回路と、給湯タンク、前記給湯タンクの水を循環させる循環ポンプ、及び前記循環ポンプで循環される水が流れる前記水熱交換器のパイプで構成された水加熱器を水配管で接続して構成する水循環回路と、前記給湯タンクに給水する給水管と、前記給湯タンクから給湯する給湯管とを有するヒートポンプ給湯機において、
前記給水管は前記給湯タンクの入口側と前記水加熱器の入口側とに分岐して接続され、
前記給湯管は前記給湯タンクの出口側と前記水加熱器の出口側とに分岐して接続され、
前記給湯タンクからの給湯と前記水加熱器からの給湯とを切換える弁と、前記給湯管から出湯端末への流量が検知されたときに前記圧縮機を起動して前記ヒートポンプ回路の運転を始めるように制御する制御装置とを設け、
前記水熱交換器は、前記循環ポンプによる水が流れるパイプと前記圧縮機からの冷媒が流れるパイプとを熱的に接触した螺旋状の円筒状であり、前記給湯タンクを囲むように設置し、
前記制御装置は、前記ヒートポンプ回路の運転を始めるときに前記給湯タンクから前記給湯管へ湯を供給し、前記水加熱器で十分に加熱された湯を前記給湯管に供給するときに前記給湯タンクから前記給湯管へ湯を供給しないように制御し、
前記ヒートポンプ回路及び前記水循環回路を一つの箱体内に収納したことを特徴とするヒートポンプ給湯機。
【請求項２】
請求項１において、前記円筒状の水熱交換器と前記給湯タンクとの間に断熱材を介在させたことを特徴とするヒートポンプ給湯機。
【請求項２】
請求項１において、前記円筒状の水熱交換器と前記給湯タンクとの間に断熱材を介在させると共に、円筒状に形成した前記水熱交換器及び前記給湯タンクの周囲を断熱材で覆ったことを特徴とするヒートポンプ給湯機。
【請求項４】
請求項１から３の何れかにおいて、前記水加熱器の出口側温度を検出する温度センサーを設けると共に、前記温度センサーの検出温度に基づいて前記弁を動作させ前記給湯タンクによる給湯から前記水加熱器による給湯に切換えるように制御する制御装置を設けたことを特徴とするヒートポンプ給湯機。
【請求項５】
圧縮機、前記圧縮機からの冷媒が流れる水熱交換器のパイプ、減圧装置及び蒸発器を冷媒配管で接続して構成するヒートポンプ回路と、給湯タンク、前記給湯タンクの水を循環させる第１の循環ポンプ、及び前記第１の循環ポンプで循環される水が流れる前記水熱交換器のパイプで構成された第１の水加熱器を水配管で接続して構成する第１の水循環回路と、風呂水を循環する第２の循環ポンプと、その第２の循環ポンプで循環される風呂水が流れる前記水熱交換器のパイプで構成された第２の水加熱器と、その第２の水加熱器から風呂に風呂水を戻す戻り管とを水配管で接続して構成する第２の水循環回路と、前記給湯タンクに給水する給水管と、前記給湯タンクから給湯する給湯管と、を有するヒートポンプ給湯機において、
前記給水管は前記給湯タンクの入口側と前記第１の水加熱器の入口側とに分岐して接続され、
前記給湯管は前記給湯タンクの出口側と前記第１の水加熱器の出口側とに分岐して接続され、
前記給湯タンクからの給湯と前記第１の水加熱器からの給湯とを切換える弁と、前記給湯管から出湯端末への流量が検知されたときに前記圧縮機を起動して前記ヒートポンプ回路の運転を始めるように制御する制御装置とを設け、
前記水熱交換器は、前記第１の水加熱器の水が流れるパイプと前記第２の水加熱器の水が流れるパイプと前記圧縮機からの冷媒が流れるパイプとを熱的に接触した螺旋状の円筒状であり、
前記制御装置は、前記ヒートポンプ回路の運転を始めるときに前記給湯タンクから前記給湯管へ湯を供給し、前記水加熱器で十分に加熱された湯を前記給湯管に供給するときに前記給湯タンクから前記給湯管へ湯を供給しないように制御し、
前記ヒートポンプ回路、前記第１の水循環回路及び第２の水循環回路を一つの箱体内に収納したことを特徴とするヒートポンプ給湯機。
【手続補正２】
【補正対象書類名】明細書
【補正対象項目名】００１１
【補正方法】変更
【補正の内容】
【００１１】
【課題を解決するための手段】
前記目的を達成するために、本発明は、圧縮機、前記圧縮機からの冷媒が流れる水熱交換器のパイプ、減圧装置及び蒸発器を冷媒配管で接続して構成するヒートポンプ回路と、給湯タンク、前記給湯タンクの水を循環させる循環ポンプ、及び前記循環ポンプで循環される水が流れる前記水熱交換器のパイプで構成された水加熱器を水配管で接続して構成する水循環回路と、前記給湯タンクに給水する給水管と、前記給湯タンクから給湯する給湯管とを有するヒートポンプ給湯機において、前記給水管は前記給湯タンクの入口側と前記水加熱器の入口側とに分岐して接続され、前記給湯管は前記給湯タンクの出口側と前記水加熱器の出口側とに分岐して接続され、前記給湯タンクからの給湯と前記水加熱器からの給湯とを切換える弁と、前記給湯管から出湯端末への流量が検知されたときに前記圧縮機を起動して前記ヒートポンプ回路の運転を始めるように制御する制御装置とを設け、前記水熱交換器は、前記循環ポンプによる水が流れるパイプと前記圧縮機からの冷媒が流れるパイプとを熱的に接触した螺旋状の円筒状であり、前記給湯タンクを囲むように設置し、前記制御装置は、前記ヒートポンプ回路の運転を始めるときに前記給湯タンクから前記給湯管へ湯を供給し、前記水加熱器で十分に加熱された湯を前記給湯管に供給するときに前記給湯タンクから前記給湯管へ湯を供給しないように制御し、前記ヒートポンプ回路及び前記水循環回路を一つの箱体内に収納したことにある。
【手続補正３】
【補正対象書類名】明細書
【補正対象項目名】００１２
【補正方法】変更
【補正の内容】
【００１２】
前記別の目的を達成するために、本発明は、圧縮機、前記圧縮機からの冷媒が流れる水熱交換器のパイプ、減圧装置及び蒸発器を冷媒配管で接続して構成するヒートポンプ回路と、給湯タンク、前記給湯タンクの水を循環させる第１の循環ポンプ、及び前記第１の循環ポンプで循環される水が流れる前記水熱交換器のパイプで構成された第１の水加熱器を水配管で接続して構成する第１の水循環回路と、風呂水を循環する第２の循環ポンプと、その第２の循環ポンプで循環される風呂水が流れる前記水熱交換器のパイプで構成された第２の水加熱器と、その第２の水加熱器から風呂に風呂水を戻す戻り管とを水配管で接続して構成する第２の水循環回路と、前記給湯タンクに給水する給水管と、前記給湯タンクから給湯する給湯管と、を有するヒートポンプ給湯機において、前記給水管は前記給湯タンクの入口側と前記第１の水加熱器の入口側とに分岐して接続され、前記給湯管は前記給湯タンクの出口側と前記第１の水加熱器の出口側とに分岐して接続され、前記給湯タンクからの給湯と前記第１の水加熱器からの給湯とを切換える弁と、前記給湯管から出湯端末への流量が検知されたときに前記圧縮機を起動して前記ヒートポンプ回路の運転を始めるように制御する制御装置とを設け、前記水熱交換器は、前記第１の水加熱器の水が流れるパイプと前記第２の水加熱器の水が流れるパイプと前記圧縮機からの冷媒が流れるパイプとを熱的に接触した螺旋状の円筒状であり、前記制御装置は、前記ヒートポンプ回路の運転を始めるときに前記給湯タンクから前記給湯管へ湯を供給し、前記水加熱器で十分に加熱された湯を前記給湯管に供給するときに前記給湯タンクから前記給湯管へ湯を供給しないように制御し、前記ヒートポンプ回路、前記第１の水循環回路及び第２の水循環回路を一つの箱体内に収納したことにある。
【手続補正４】
【補正対象書類名】明細書
【補正対象項目名】００１７
【補正方法】変更
【補正の内容】
【００１７】
また、ヒートポンプ給湯機への水の供給回路は、水道などに接続された給水管１６、この給水管１６に設けられた給水弁１７、給湯タンク１３に接続された給水管１９、水加熱器１１に接続された給水管１９Ａ、入口側が給水管１６に接続されると共に出口側が給水管１９、１９Ａに接続された三方弁１８を備えて構成されている。換言すれば、給水管１６は、三方弁１８を介して、二つの給水管１９、１９Ａに分岐されて給湯タンク１３及び水加熱器１１に接続されている。従って、三方弁１８は、給水管１６を給湯タンク１３の入口側と水加熱器１１の入口側とに切換え接続するための切換え弁として機能するものである。なお、三方弁１８の代わりに複数の弁を用いて給水管１９、１９Ａとの接続を切換えるようにしてもよい。また、凝縮器３と水加熱器１１とは熱的に接続されて水熱交換器２を構成している。
【手続補正５】
【補正対象書類名】明細書
【補正対象項目名】００２２
【補正方法】変更
【補正の内容】
【００２２】
また、制御装置３０には、給湯管２０の流量を検出する流量計２１の流動センサー２１ｓ、水熱交換器１１の出口側の温度を検出する温度センサー１１ｓ、給湯タンク１３の上部の温度を検出する温度センサー１３ｓ、蒸発器６の温度を検出する温度センサー６ｓ、外気の温度を検出する温度センサー３１が接続され、各センサーからそれぞれの信号が制御装置３０に入力される。制御装置３０は、それらの信号に応じて関連する機器へ制御信号が発信され、ヒートポンプ給湯機の運転状態を制御する。